(57)【特許請求の範囲】
【請求項１】
照明器具に取り付けられる発光部と、
電源から供給される電力を交流電力に変換して前記発光部に出力するインバータ回路であって、前記照明器具及び前記発光部と別置のインバータ回路とを備え、
前記発光部には、前記インバータ回路によって出力される前記交流電力が前記照明器具を介して供給され、
前記発光部は、
容量素子と、
前記容量素子を介して得られる前記交流電力を整流する整流回路と、
前記整流回路が整流した電力により発光する発光素子とを有する
照明装置。
【請求項２】
前記インバータ回路は、前記交流電力の周波数を変更することによって前記発光部の明るさを制御する
請求項１に記載の照明装置。
【請求項３】
前記発光部は、照明器具への取り付けに用いられる、前記交流電力の供給を受けるための口金を有する
請求項１または２に記載の照明装置。
【請求項４】
前記発光部は、
前記口金とともに当該発光部の外郭を構成し、前記発光素子が発する光を透過させるグローブを備え、
前記グローブが前記口金よりも上方に位置する状態で前記照明器具に取り付けられる
請求項３に記載の照明装置。
【請求項５】
前記照明装置は、並列接続された複数の前記発光部を備える
請求項１〜４のいずれか１項に記載の照明装置。
【請求項６】
前記インバータ回路は、前記交流電力の周波数を変更することによって複数の前記発光部の明るさを一括制御する
請求項５に記載の照明装置。
【請求項７】
前記容量素子は、４００Ｖ以上の耐圧を有する
請求項１〜６のいずれか１項に記載の照明装置。
【請求項８】
前記インバータ回路が出力する前記交流電力の周波数は、２５０Ｈｚ以上７５ｋＨｚ以下である
請求項１〜７のいずれか１項に記載の照明装置。
【請求項９】
前記インバータ回路が出力する前記交流電力の実効値は、５０Ｖ以下である
請求項１〜８のいずれか１項に記載の照明装置。
【請求項１０】
前記照明装置は、さらに、
前記インバータ回路を収容する筐体と、
前記筐体の内部に設けられる、前記インバータ回路及び前記照明器具を電気的に接続するための端子とを備える
請求項１〜９のいずれか１項に記載の照明装置。
【請求項１１】
前記筐体は、引掛シーリングボディに取り付けられ、
前記インバータ回路は、前記電源から前記引掛シーリングボディを介して供給される電力を前記交流電力に変換する
請求項１０に記載の照明装置。
【請求項１２】
前記筐体は、回動されることによって前記引掛シーリングボディに取り付けられる
請求項１１に記載の照明装置。
【請求項１３】
前記発光部は、電球形である
請求項１〜１２のいずれか１項に記載の照明装置。
【発明の詳細な説明】
【技術分野】
【０００１】
本発明は、発光ダイオード（ＬＥＤ：Ｌｉｇｈｔ  Ｅｍｉｔｔｉｎｇ  Ｄｉｏｄｅ）等の発光素子を用いた照明装置、及び照明用光源等に関する。
【背景技術】
【０００２】
ＬＥＤ等の半導体発光素子は、小型、高効率及び長寿命であることから、様々な製品の光源として期待されている。中でも、ＬＥＤ電球（電球形ＬＥＤランプ）は、従来から知られる電球形蛍光灯や白熱電球に代替する照明用光源として開発が進められている（特許文献１）。
【０００３】
ＬＥＤ電球は、例えば、ＬＥＤモジュールと、ＬＥＤモジュールを覆うグローブと、ＬＥＤモジュールを発光させるための駆動回路と、駆動回路を収納する回路ケースと、外部から電力を受電する口金とを備える。
【先行技術文献】
【特許文献】
【０００４】
【特許文献１】特開２００６−３１３７１７号公報
【発明の概要】
【発明が解決しようとする課題】
【０００５】
上記ＬＥＤ電球のような照明用光源に内蔵された駆動回路には、電源から供給される電力を変換するインバータ回路が含まれることが一般的である。このような構成においては、照明用光源内に駆動回路を配置するためのスペースを確保する必要があるため、照明用光源の小型化が難しいことが課題である。
【０００６】
そこで、本発明は、照明用光源（発光部）の小型化が容易な照明装置等を提供する。
【課題を解決するための手段】
【０００７】
本発明の一態様に係る照明装置は、発光部と、電源から供給される電力を交流電力に変換して前記発光部に出力する電力変換部とを備え、前記発光部は、容量素子と、前記容量素子を介して得られる前記交流電力を整流する整流回路と、前記整流回路が整流した電力により発光する発光素子とを有する。
【０００８】
本発明の一態様に係る照明用光源は、交流電力の供給を受ける口金と、一方の電極が前記口金に接続された容量素子と、前記容量素子の他方の電極に接続され、前記他方の電極から得られる交流電力を整流する整流回路と、前記整流回路が整流した電力により発光する発光素子とを備える。
【０００９】
本発明の一態様に係る電源ユニットは、引掛シーリングボディから電力の供給を受けるための端子と、前記端子を通じて前記引掛シーリングボディから供給される電力を用いて電流を出力する電流制限部と、前記電流制限部が出力した電流を照明器具に供給するための電力供給部とを備える。
【発明の効果】
【００１０】
本発明の一態様に係る照明装置等によれば、発光部の小型化を容易に実現することができる。
【図面の簡単な説明】
【００１１】
【図１】図１は、実施の形態１に係る照明装置の機能構成を示す模式図である。
【図２】図２は、実施の形態１に係る照明装置の外観を示す斜視図である。
【図３】図３は、発光部の側面図である。
【図４Ａ】図４Ａは、インバータ回路ユニットを上面側から見た斜視図である。
【図４Ｂ】図４Ｂは、インバータ回路ユニットを下面側から見た斜視図である。
【図５】図５は、インバータ回路及び発光部の回路の回路図の一例である。
【図６】図６は、インバータ回路が内蔵された発光部を示す側面図である。
【図７】図７は、インバータ回路が出力する交流電力の周波数と、ＬＥＤに流れる電流比との関係を示す図である。
【図８】図８は、変形例に係る照明装置の機能構成を示す模式図である。
【発明を実施するための形態】
【００１２】
以下、実施の形態に係る照明装置及び照明用光源（発光部）について、図面を参照しながら説明する。なお、以下に説明する実施の形態は、本発明の一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は模式図であり、必ずしも厳密に図示されたものではない。また、各図において、実質的に同一の構成に対しては同一の符号を付しており、重複する説明は省略または簡略化される場合がある。
【００１４】
（実施の形態１）
［照明装置の全体構成］
まず、実施の形態１に係る照明装置の概要について説明する。図１は、実施の形態１に係る照明装置の機能構成を示す模式図である。図２は、実施の形態１に係る照明装置の外観を示す斜視図である。なお、以下の実施の形態１においては各構成要素の天井側（Ｚ軸＋側）の面は上面、床面側（Ｚ軸−側）の面は下面と規定される。
【００１５】
実施の形態１に係る照明装置１００は、複数の発光部１０と、インバータ回路２０（インバータ回路ユニット２１に内蔵される）と、照明器具３０とを備える。また、図１では、商用電源４０及び壁スイッチ５０も図示され、図２では、引掛シーリングボディ６０も図示されている。
【００１６】
発光部１０は、照明器具３０に取り付けられる照明用光源である。発光部１０は、口金１１とグローブ１２とで外郭が構成されている。なお、実施の形態１では、発光部１０は、インバータ回路２０の出力に対して複数接続され、複数の発光部１０は、互いに並列接続されている。
【００１７】
インバータ回路２０は、商用電源４０から供給される電力を交流電力に変換して照明器具３０に出力する。インバータ回路２０は、電力変換部の一例であって、照明器具３０の外部に設けられる。インバータ回路２０は、具体的には、照明器具３０とは別体のインバータ回路ユニット２１に内蔵される。
【００１８】
インバータ回路ユニット２１は、上面に端子２５を有し、端子２５が引掛シーリングボディ６０の端子孔に挿入された後、回動されることによって、引掛シーリングボディ６０に取り付けられる。
【００１９】
照明器具３０は、シャンデリア形の照明器具であって、複数の発光部１０が取り付けられる器具本体３１と、金属製の端子３３（照明器具３０の受電部）が設けられた引掛シーリングキャップ３２とを備える。
【００２０】
照明器具３０は、引掛シーリングボディ６０に取り付けられたインバータ回路ユニット２１に取り付けられる。具体的には、照明器具３０は、端子３３がインバータ回路ユニット２１の下面に設けられた端子孔（図２において図示せず）に挿入された後、回動されることによって、インバータ回路ユニット２１に取り付けられる。
【００２１】
商用電源４０は、実効値１００Ｖ、商用電源周波数が５０Ｈｚまたは６０Ｈｚの交流電源である。
【００２２】
壁スイッチ５０は、照明装置１００への商用電源４０の交流電力の供給をオン又はオフするためのスイッチである。なお、壁スイッチ５０に加えて、または、壁スイッチ５０に代えて、位相制御調光器またはＰＷＭ（Ｐｕｌｓｅ  Ｗｉｄｔｈ  Ｍｏｄｕｌａｔｉｏｎ）調光器などが用いられてもよい。
【００２３】
引掛シーリングボディ６０は、建物の天井に設けられた商用電源４０の供給口（コンセント）である。引掛シーリングボディ６０は、実施の形態１では、丸型フル引掛シーリングである。なお、引掛シーリングボディ６０として、フル引掛ローゼット、丸型引掛シーリング、角型引掛シーリング、引掛埋込ローゼット、及び引掛露出ローゼットなどが用いられてもよい。
【００２４】
照明装置１００は、以下の点が特徴である。
【００２５】
従来構成においては、引掛シーリングボディ６０には、照明器具３０が直接取り付けられ、商用電源４０からの交流電力が照明器具３０内の配線を通じて従来構成の発光部にそのまま供給される。従来構成の発光部は、インバータ回路を内蔵しており、インバータ回路によって変換された電力を用いて発光する。
【００２６】
照明装置１００は、このような従来構成の照明装置において、従来構成の発光部を発光部１０に変更し、引掛シーリングボディ６０と照明器具３０との間にインバータ回路ユニット２１を取り付けることによって実現される。つまり、照明装置１００は、既存の照明器具３０を利用して実現可能である。
【００２７】
また、照明装置１００では、インバータ回路２０が、商用電源４０から供給される電力を交流電力に変換し、変換後の交流電力によって複数の発光部１０を一括制御することができる。
【００２８】
さらに、照明装置１００では。発光部１０にインバータ回路が設けられないため、発光部の小型化が容易である。
【００２９】
［発光部の詳細構成］
次に、発光部１０の詳細構成について説明する。図３は、発光部１０の側面図である。
【００３０】
発光部１０は、照明器具３０に取り付けられる照明用光源であって、より詳細には、口金１１と、グローブ１２と、発光モジュール１５（ＬＥＤ１３ａ、封止部材１３ｂ、及び基板１４）と、回路ケース１６と、支柱１７ａと、リード線１７ｂとを備える。
【００３１】
口金１１は、照明器具３０への取り付けに用いられる、インバータ回路２０からの交流電力の供給を受けるための受電部である。口金１１は、より詳細には、照明器具３０の器具本体３１に設けられたソケットに接続される。
【００３２】
なお、口金１１としては、例えば、ねじ込み式のエジソンタイプ（Ｅ型）の口金が用いられるが、差し込み式の口金が用いられてもよい。
【００３３】
グローブ１２は、口金１１とともに発光部１０の外郭を構成し、ＬＥＤ１３ａが発する光を透過する透光性のカバーである。グローブ１２は、発光モジュール１５及び回路ケース１６を覆うように設けられている。グローブ１２は、回転楕円体形状であり、キャンドルタイプのグローブである。
【００３４】
グローブ１２は、例えば、アクリル（ＰＭＭＡ）やポリカーボネート（ＰＣ）等の樹脂材料、またはガラス材等により形成される。なお、グローブ１２は、透明であるが、乳白色であってもよく、透光性を有していればよい。
【００３５】
発光モジュール１５は、基板１４に直接実装された複数のＬＥＤ１３ａが封止部材１３ｂによって封止された、いわゆるＣＯＢ（Ｃｈｉｐ  Ｏｎ  Ｂｏａｒｄ）構造の発光モジュールである。発光モジュール１５は、支柱１７ａによってグローブ１２内に保持される。なお、図３では図示されないが、複数のＬＥＤ１３ａは、ボンディングワイヤによって直列接続されている。
【００３６】
ＬＥＤ１３ａは、具体的には、青色光を発する青色ＬＥＤチップである。封止部材１３ｂは、具体的には、ＹＡＧ系の黄色蛍光体粒子を含有するシリコーン樹脂である。このような構成においては、ＬＥＤ１３ａが発した青色光の一部は、封止部材１３ｂに含まれる黄色蛍光体粒子によって黄色光に波長変換される。そして、黄色蛍光体粒子に吸収されなかった青色光と黄色蛍光体粒子によって波長変換された黄色光とが混ざって白色光となって出射される。
【００３７】
基板１４は、可視光に対して透光性を有する基板であって、上面にＬＥＤ１３ａが複数実装される。基板１４は、具体的には、多結晶のアルミナや窒化アルミニウムからなる透光性セラミックス基板などである。このように、基板１４が透光性を有することによって、基板１４の下面からも白色光を放出することができる。
【００３８】
回路ケース１６は、発光モジュール１５を駆動する回路を収納するための筐体である。回路ケース１６は、例えば、ポリブチレンテレフタレート（ＰＢＴ）等の絶縁性樹脂材料等を用いて構成することができる。
【００３９】
上述のように、回路ケース１６内の回路には、インバータ回路が含まれない。このような、回路ケース１６内の回路の回路構成については後述する。なお、回路ケース１６内の回路から発光モジュール１５への電力の供給は、リード線１７ｂを介して行われる。
【００４０】
［インバータ回路ユニットの詳細構成］
次に、インバータ回路ユニット２１の詳細構成について説明する。図４Ａは、インバータ回路ユニット２１を上面側から見た斜視図である。図４Ｂは、インバータ回路ユニット２１を下面側から見た斜視図である。
【００４１】
図４Ａに示されるように、インバータ回路ユニット２１は、扁平円柱状（円板状）の筐体２４の上面側に端子２５を備える。端子２５は、商用電源４０（引掛シーリングボディ６０）から筐体２４の内部のインバータ回路２０に電力を供給するための金属製の端子である。
【００４２】
インバータ回路ユニット２１を引掛シーリングボディ６０に取り付ける場合、まず、端子２５が引掛シーリングボディ６０の端子孔に挿入される。そして、インバータ回路ユニット２１が引掛シーリングボディ６０に対して回動されることによって、インバータ回路ユニット２１が引掛シーリングボディに固定される。これにより、商用電源４０と、インバータ回路２０とが電気的に接続される。
【００４３】
また、図４Ｂに示されるように、インバータ回路ユニット２１は、筐体２４の下面に端子孔２６を備える。端子孔２６は、筐体２４の内部のインバータ回路２０から、照明器具３０に交流電力を出力するための金属製の端子（以下、内部端子と記載する）が内部に設けられた端子孔である。なお、端子孔２６は、インバータ回路２０が変換した交流電力を照明器具３０に供給するための電力供給部の一例である。
【００４４】
照明器具３０をインバータ回路ユニット２１に取り付ける場合、照明器具３０は、端子３３が端子孔２６に挿入された後、引掛シーリングキャップ３２がインバータ回路ユニット２１に対して回動されることによって、インバータ回路ユニット２１に固定される。このとき、内部端子が端子３３と接続され、インバータ回路２０と、照明器具３０とが電気的に接続される。
【００４５】
［インバータ回路の回路構成及び動作］
次に、インバータ回路２０及び発光部１０の回路の構成について説明する。図５は、インバータ回路２０及び発光部１０の回路の回路図の一例である。なお、実際には、インバータ回路２０と発光部１０との間に照明器具３０が介在するが、図５では、照明器具３０の図示は省略されている。
【００４６】
まず、インバータ回路２０について説明する。図５に示されるように、インバータ回路２０は、商用電源４０から供給される交流電力を整流するコンバータ２７と、発光部１０を発光させるための交流電力を生成するインバータ２９と、インバータを制御するインバータ制御回路２８とを備える。
【００４７】
コンバータ２７は、４つのダイオードで構成されるブリッジ型全波整流回路であって、入力側の２端子は入力端子Ｐ１及びＰ２を介して商用電源４０に接続され、出力側の２端子は平滑コンデンサＣ１及びＣ２等に接続されている。平滑コンデンサＣ１及びＣ２は、コンバータ２７の出力電圧を安定化させるために設けられている。入力端子Ｐ１及びＰ２は、上述の端子２５に対応する。
【００４８】
なお、商用電源４０とコンバータ２７とを接続する配線には、電流ヒューズ素子ＦＳが直列に挿入されている。また、コンバータ２７の電圧出力端の負極とインバータ制御回路２８とを接続する配線には、スイッチングノイズを除去するノイズフィルタＮＦが挿入されている。
【００４９】
コンバータ２７は、例えば壁スイッチ５０を通じて、商用電源４０から交流電圧（例えば、５０又は６０Ｈｚ）を受けて、当該交流電圧を全波整流して直流電圧を出力する。コンバータ２７から出力される直流電圧は、平滑コンデンサＣ１及びＣ２によって平滑化されて直流の入力電圧Ｖｉｎとなる。入力電圧Ｖｉｎは、インバータ２９及びインバータ制御回路２８に供給される。
【００５０】
インバータ制御回路２８は、インバータ２９を起動するための回路である。インバータ制御回路２８は、抵抗器Ｒ１、Ｒ２及びＲ３の分圧比によりコンデンサＣ３の両端にかかる電圧を調整する回路と、トリガダイオードＴＤとを有する。なお、コンデンサＣ４は、スナバコンデンサであり、スイッチング素子Ｑ１及びＱ２の電圧変化スピードを遅くして、スイッチング損失を少なくするために適宜用いられるものである。
【００５１】
トリガダイオードＴＤは、入力電圧Ｖｉｎが入力された場合に、コンデンサＣ３に保持される電荷に基づく電圧値によってブレークオーバーして導通状態となる。トリガダイオードＴＤは、インバータ２９の制御端子である第２のスイッチング素子Ｑ２のベースに接続されているため、トリガダイオードＴＤが導通状態となることによってインバータ２９の動作が開始される。
【００５２】
インバータ２９は、発光部１０を発光させるための交流電力を出力する。具体的には、インバータ２９は、直流電圧を交流電圧に変換する。インバータ２９は、ハーフブリッジ形の自励インバータであって、交互にスイッチング動作を行う第１のスイッチング素子Ｑ１と第２のスイッチング素子Ｑ２とからなる直列回路が直流電源に接続されて構成されている。また、第１のスイッチング素子Ｑ１及び第２のスイッチング素子Ｑ２は、バイポーラ形トランジスタである。
【００５３】
駆動トランスＣＴは、一次巻線（入力巻線）及び二次巻線（出力巻線）からなる巻線コイルによって構成されている。インダクタＬ１は、チョークインダクタであって、一端が駆動トランスＣＴの出力側に接続されており、他端が出力端子Ｐ４に接続されている。
【００５４】
出力端子Ｐ３及びＰ４は、上述の端子孔２６の内部端子（端子３３と接続される端子）に対応する。
【００５５】
このように構成されるインバータ２９は、第１のスイッチング素子Ｑ１及び第２のスイッチング素子Ｑ２の直列回路の両端間に所定の入力電圧Ｖｉｎが印加されるとともに、インバータ制御回路２８から起動制御信号（トリガ信号）が供給されることによって動作を開始する。具体的には、駆動トランスＣＴの誘起に基づく自励発振によって第１のスイッチング素子Ｑ１と第２のスイッチング素子Ｑ２とが交互にオンオフ動作を行う。これにより、インダクタＬ１とコンデンサＣ８との直列共振による交流の二次電圧が誘起され、この電圧が出力端子Ｐ３及びＰ４に出力される。
【００５６】
以上、インバータ回路２０の回路構成及び動作について説明した。なお、上記のインバータ回路２０は、一例である。発光部１０に交流電力を供給できるのであれば、インバータ回路２０として、他のインバータ回路が用いられてもよい。
【００５７】
例えば、インバータ回路２０が交流電源ではなく直流電源に接続されるような場合が想定される。このような場合、インバータ回路２０には、コンバータ２７、すなわち、交流電力を直流電力に変換する回路は不要である。このため、インバータ回路２０としては、インバータ２９（インバータ制御回路２８）の機能のみを有する他のインバータ回路が用いられる。
【００５８】
［発光部の回路構成］
次に、図５を用いて発光部１０の回路構成について説明する。発光部１０は、容量素子１８と、整流回路１９と、複数のＬＥＤ１３ａを備える。また、発光部１０は、抵抗器Ｒ２と、コンデンサＣ９とを備える。なお、抵抗器Ｒ２及びコンデンサＣ９は、設けられなくてもよい。
【００５９】
容量素子１８は、一方の電極（一端）がインバータ回路２０の出力端子Ｐ３に接続され、他端が整流回路１９の入力側に接続されるコンデンサ（コンデンサＣ１０）である。なお、容量素子１８の一方の電極は、回路図上は出力端子Ｐ３に接続されているが、実際には口金１１に接続されている。
【００６０】
容量素子１８は、インバータ回路２０が出力する交流電力に対してリアクタンスとして作用する。容量素子１８によって、インバータ回路２０から出力される交流電力の周波数に応じてＬＥＤ１３ａを流れる電流が変動する。なお、このような動作については後述する。
【００６１】
整流回路１９は、コンバータ２７と同様に、４つのダイオードで構成されるブリッジ型全波整流回路である。整流回路１９の入力側の２つの端子の一方は、容量素子１８の他方の電極に接続され、整流回路１９の入力側の２つの端子の他方は、インバータ回路２０の出力端子Ｐ４に接続されている。整流回路１９の出力側の２つの端子のうちの高電位側は、直列接続された複数のＬＥＤ１３ａのアノード側に接続され、整流回路１９の出力側の２つの端子のうちの低電位側は、直列接続された複数のＬＥＤ１３ａのカソード側に接続されている。
【００６２】
整流回路１９は、容量素子１８（容量素子１８の他方の電極）を介して得られる交流電力を全波整流する。全波整流により出力される電力は、コンデンサＣ９によって平滑化され、ＬＥＤ１３ａに供給される。そして、整流回路１９が整流した電力により、ＬＥＤ１３ａは発光する。
【００６３】
［効果等］
以上説明したように、照明装置１００においては、発光部１０の外部にインバータ回路２０が設けられる。以下、照明装置１００が奏する効果について比較例を参照しながら説明する。図６は、インバータ回路２０が内蔵された発光部を示す側面図である。
【００６４】
図６に示される発光部１０ａの回路ケース１６ａには、インバータ回路２０が内蔵されている。これに対し、上述の図３に示される発光部１０の回路ケース１６には、インバータ回路２０が内蔵されていない。したがって、回路ケース１６は、回路ケース１６ａよりも小型化されている。このように、回路ケース１６が小型化されれば、発光部１０自体の小型化が容易である。
【００６５】
また、回路ケース１６の小型化により、回路ケース１６が発光モジュール１５からの光を遮りにくくなるため、発光部１０の配光を向上させることができる。
【００６６】
特に、照明器具３０のように、グローブ１２が口金１１よりも上方に位置する状態で発光部１０が取り付けられる照明器具３０においては、下方、すなわち、床面側に対する光量を確保することが課題となる。このような課題に対し、発光部１０は、回路ケース１６の小型化により口金１１側にスペースを確保することができるため、床面側へ光を取り出しやすい効果を奏する。
【００６７】
また、発光部１０のように、グローブ１２が透明である場合には、回路ケース１６が外部から視認可能である。このような構成においては、回路ケース１６の小型化により、デザイン性が高められる効果もある。
【００６８】
また、照明装置１００では、インバータ回路２０から出力される交流電力は、各発光部１０において、容量素子１８を介して整流回路１９に入力される。このため、発光部１０の明るさは、インバータ回路２０が出力する交流電力の周波数に応じて変更可能である。図７は、インバータ回路２０が出力する交流電力の周波数と、ＬＥＤ１３ａに流れる電流比との関係を示す図である。
【００６９】
図７は、図５で説明した発光部１０の回路に対して、インバータ回路２０の出力を想定したＶｐ−ｐ＝４５Ｖ（一定）の正弦波を入力した場合の、正弦波の周波数と、ＬＥＤ１３ａに流れる電流（電流比）との関係をシミュレーションしたものである。なお、発光部１０の回路の定数は、Ｃ１０＝０．４７ｕＦ、Ｒ１０＝１Ωであり、直列接続された複数のＬＥＤ１３ａのトータルのＶｆは、２７Ｖである。
【００７０】
図７に示されるように、ＬＥＤ１３ａに流れる電流は、インバータ回路２０の出力の周波数に依存する。具体的には、ＬＥＤ１３ａに流れる電流は、インバータ回路２０の出力の周波数が増加するほど、ＬＥＤ１３ａに流れる電流は増える。
【００７１】
このような構成よれば、発光部１０（ＬＥＤ１３ａ）に流れる電流が、主としてインバータ回路２０の出力の周波数に依存するため、インバータ回路２０と発光部１０との間の配線抵抗等の影響を小さくできる効果がある。例えば、本実施の形態１のように複数の発光部１０が１つの照明器具３０に取り付けられる場合、複数の発光部１０に対して直流電力が供給されるときよりも、照明器具３０内の配線抵抗の違いに起因する複数の発光部１０の明るさのばらつきを抑制することができる。
【００７２】
また、上述のように、照明装置１００は、既存の照明器具３０の発光部を発光部１０に交換し、引掛シーリングボディ６０と照明器具３０との間にインバータ回路ユニット２１を取り付けることによって容易に実現可能であることも利点である。
【００７３】
なお、発光部１０が取り付けられた照明器具３０が、インバータ回路ユニット２１を介さずに直接引掛シーリングボディ６０に取り付けられてしまう場合が考えられる。この場合、発光部１０に商用電源４０の電力（例えば、実効値が１００Ｖ以上２３０Ｖ以下）が直接供給され、発光部１０が故障してしまう可能性がある。このような発光部１０への過電圧を防止するために、容量素子１８の耐圧は、４００Ｖ以上であることが好ましい
［変形例］
以下、実施の形態１の変形例について説明する。
【００７４】
上述のように、照明装置１００では、各発光部１０を流れる電流は、インバータ回路２０の出力の周波数に依存する。そこで、例えば、インバータ回路は、ユーザの指示に基づき当該インバータ回路から出力される交流電力の周波数を変更することによって発光部１０の明るさを制御してもよい。図８は、このような変形例に係る照明装置の機能構成を示す模式図である。なお、以下の変形例に係る照明装置の説明では、照明装置１００と実質的に同一の構成については説明が省略される場合がある。
【００７５】
図８に示される照明装置１００ａは、リモートコントローラ７０と、信号取得部８０と、信号取得部９０とを備える点が照明装置１００と大きく異なる点である。
【００７６】
リモートコントローラ７０は、照明装置１００ａのユーザインターフェースであり、ユーザの指示に基づき信号取得部８０に制御信号を送信する。制御信号の送信には、無線通信（例えば、赤外線通信など）が用いられる。制御信号は、言い換えれば、ユーザからの調光の指示を表す信号である。
【００７７】
信号取得部８０は、リモートコントローラ７０から制御信号を取得する。信号取得部８０は、具体的には赤外線の受光素子などで構成されるが、その他の無線モジュールが用いられてもよい。
【００７８】
制御部９０は、信号取得部８０が制御信号を取得した場合に、取得した制御信号に応じてインバータ回路２０ａの出力の周波数を変更する制御を行う。制御部９０は、具体的には、マイクロコンピュータ、プロセッサ、または専用回路などによって実現される。また、制御部９０は、ＣＰＵまたはプロセッサなどのプログラム実行部が、ハードディスクまたは半導体メモリなどの記録媒体に記録されたソフトウェアプログラムを読み出して実行することによって実現されてもよい。
【００７９】
また、インバータ回路２０ａは、制御部９０の制御に基づき、インバータ回路２０ａから出力される交流電力の周波数を変更することによって複数の発光部１０の明るさを一括制御する。この場合、インバータ回路２０ａとしては、例えば、外部信号に基づき出力の周波数が変更可能なインバータＩＣなどが使用される。
【００８０】
以上のような構成の照明装置１００ａにおいては、ユーザの指示に基づく調光が可能である。なお、図８の構成は一例であり、ユーザの指示に基づく調光機能を実現可能な他の構成が採用されてもよい。
【００８１】
なお、電気用品安全法の脈流基準（５００Ｈｚ以上であれば対象外）、及び、ＣＩＳＰＲ１５において規制される１５０ｋＨｚ以上の帯域のノイズ影響を考慮して、インバータ回路２０ａの出力の周波数は、２５０Ｈｚ以上７５ｋＨｚ以下で変更可能であることが好ましい。なお、インバータ回路２０ａの出力は、正弦波であっても矩形波であってもよいが、ノイズの観点からは正弦波のほうがよい。
【００８２】
また、インバータ回路２０ａが出力する交流電力の実効値、及び、直列接続されたＬＥＤ１３ａのトータルのＶｆは、電気用品安全法の個別要求事項、及び、ＪＩＳ（日本工業規格）の特別低電圧の定義の観点から、５０Ｖ以下であることが好ましい。また、インバータ回路２０ａが出力する交流電力の実効値は、安全特別定電圧の２５Ｖ以下であることがさらに好ましい。
【００８３】
（その他の実施の形態）
以上、実施の形態について説明したが、本発明は、上記実施の形態に限定されるものではない。
【００８４】
例えば、上記実施の形態においては、インバータ回路には、商用電源から交流電力が供給されたが、インバータ回路には、他の交流電源または直流電源から電力が供給されてもよい。
【００８５】
上記実施の形態では、１つインバータ回路が複数の発光部に交流電力を供給したが、１つのインバータ回路が１つの発光部に交流電力を供給してもよい。この場合も、インバータ回路が発光部とは別に設けられることにより、発光部の小型化を容易にできる効果が得られる。
【００８６】
上記実施の形態では、１つのインバータ回路が１つの照明器具に対して交流電力を供給したが、１つのインバータ回路が複数の照明器具に対して交流電力を供給してもよい。
【００８７】
また、上記実施の形態では、インバータ回路は、インバータ回路ユニットに内蔵されたが、このような態様は一例である。
【００８８】
例えば、インバータ回路は、商用電源と引掛シーリングボディとの間に設けられてもよい。具体的な態様としては、工事により、天井裏などに設けられた商用電源と引掛シーリングボディとを接続する配線上にインバータ回路を格納した筐体（バラストボックス）が設置されてもよい。この場合、既存の照明器具を従来どおり引掛シーリングボディに取り付け、かつ、発光部を交換することにより、既存の照明器具を利用して照明装置を構成することができる。また、インバータ回路は、照明器具に内蔵されてもよい。
【００８９】
また、上記実施の形態では、引掛シーリングボディ６０と、照明器具３０との間に設けられる電源ユニットの一例として、インバータ回路ユニット２１について説明した。ここで、このような態様の電源ユニットは、照明器具３０に取り付けられる発光部を（直流、交流を問わず）電流により制御すればよいため、インバータ回路は必須ではない。
【００９０】
このような電源ユニットは、例えば、引掛シーリングボディ６０から電力の供給を受けるための端子２５と、端子２５を通じて引掛シーリングボディ６０から供給される電力を用いて電流を出力する電流制限部（電流制限回路）と、電流制限部が出力した電流を照明器具３０に供給するための電力供給部（端子孔２６）とを備える。
【００９１】
ここで、電流制限部は、例えば、ＤＣ−ＡＣコンバータ回路を含み引掛シーリングボディ６０から供給される交流電力を直流電力に変換して出力してもよいし、電流制限部は、上記のようなインバータ回路であって、交流電力を出力してもよい。つまり、電流制限部は、少なくとも電流により発光部を制御できる構成であればよい。なお、電流制限部から直流電力が出力されるときには、発光部１０に容量素子１８が設けられる必要はなく、発光部１０をさらに小型化することができる。
【００９２】
また、上記実施の形態では、電球形の発光部１０について説明されたが、発光部の態様は特に限定されるものではない。例えば、発光部は、直管形の照明用光源であってもよい。
【００９３】
また、上記実施の形態では、発光部にはＣＯＢ型の発光モジュールが用いられたが、ＳＭＤ（Ｓｕｒｆａｃｅ  Ｍｏｕｎｔ  Ｄｅｖｉｃｅ）型の発光素子が用いられた発光モジュールが用いられてもよい。発光部１０の発光素子には、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子が用いられてもよい。
【００９４】
また、本発明は、照明用光源（上記の発光部）として実現されてもよいし、上記のような電源ユニットとして実現されてもよい。
【００９５】
また、上記回路図に示す回路構成は、一例であり、本発明は上記回路構成に限定されない。つまり、上記回路構成と同様に、本発明の特徴的な機能を実現できる回路も本発明に含まれる。例えば、上記回路構成と同様の機能を実現できる範囲で、ある素子に対して、直列または並列に、スイッチング素子（トランジスタ）、抵抗素子、または容量素子等の素子を接続したものも本発明に含まれる。言い換えると、上記実施の形態における「接続される」とは、２つの端子（ノード）が直接接続される場合に限定されるものではなく、同様の機能が実現できる範囲において、当該２つの端子（ノード）が、素子を介して接続される場合も含む。
【００９６】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【符号の説明】
【００９７】
１０、１０ａ  発光部（照明用光源）
１１  口金
１２  グローブ
１３ａ  ＬＥＤ（発光素子）
１８  容量素子
１９  整流回路
２０、２０ａ  インバータ回路（電力変換部）
２１  インバータ回路ユニット（電源ユニット）
２５  端子
２６  端子孔（電力供給部）
３０  照明器具
４０  商用電源（電源）
６０  引掛シーリングボディ
１００、１００ａ  照明装置
【図１】
0006372801.tif 000002
【図２】
0006372801.tif 000003
【図３】
0006372801.tif 000004
【図４Ａ】
0006372801.tif 000005
【図４Ｂ】
0006372801.tif 000006
【図５】
0006372801.tif 000007
【図６】
0006372801.tif 000008
【図７】
0006372801.tif 000009
【図８】
0006372801.tif 000010